(57)【要約】  無線端末からの信号を受信できなくなったときに、携帯端末は、アラーム鳴動を行い、一定時間後、アラーム鳴動を終了し、ロック待機状態に遷移することを特徴とする置き忘れ防止システム。
2009057182.tif 000002
【特許請求の範囲】
【請求項１】
送信部を備える無線端末と、
前記無線端末からの信号を受信する受信部と、
アラーム鳴動を行うアラーム鳴動部と、
自己の機能を制限するロック管理部と、
を備え、
前記アラーム鳴動部は、前記信号を受信できなくなったときに、  
アラーム鳴動を行い、
一定時間後、アラーム鳴動を終了し、
前記ロック管理部は、アラーム鳴動終了後、自身をロック待機状態にすることを特徴とする携帯端末と、
を具備する置き忘れ防止システム。
【請求項２】
前記ロック管理部は、前記ロック待機状態において、前記信号を受信できたときは、ロック待機状態を解除することを特徴とする請求項１記載の置き忘れ防止システム。
【請求項３】
前記ロック管理部は、前記ロック待機状態において、前記携帯端末が操作されたときに、前記携帯端末をロック状態にすることを特徴とする請求項１記載の置き忘れ防止システム。
【請求項４】
前記ロック管理部は、前記ロック状態において、
ロック解除ボタンが押下され、かつ前記信号を受信できたときは、前記ロック状態を解除することを特徴とする請求項３記載の置き忘れ防止システム。
【請求項５】
前記携帯端末は、前記携帯端末の位置情報を取得するＧＰＳ部をさらに備え、
前記ＧＰＳ部は、前記信号を受信できない状態が一定時間続いたとき、
前記携帯端末の位置情報を取得し、該位置情報を送信することを特徴とする請求項１記載の置き忘れ防止システム。
【請求項６】
携帯端末の置き忘れ防止方法において、
無線端末からの信号を受信するステップと、
前記信号を受信できているか判定するステップと、
前記信号を受信できていないときにアラーム鳴動を行うステップと、
前記アラーム鳴動の終了後に前記携帯電話をロック待機状態にするステップと、
を備える置き忘れ防止方法。
【請求項７】
前記ロック待機状態において、前記信号を受信できたときは、ロック待機状態を解除するステップをさらに備えることを特徴とする請求項６記載の置き忘れ防止方法。
【請求項８】
前記ロック待機状態において、前記携帯端末が操作されたときに、前記携帯端末をロック状態にするステップをさらに備えることを特徴とする請求項６記載の置き忘れ防止方法。
【請求項９】
前記ロック状態において、ロック解除ボタンが押下され、かつ前記信号を受信できたときは、前記ロック状態を解除するステップをさらに備えることを特徴とする請求項８記載の置き忘れ防止方法。
【請求項１０】
前記信号を受信できない状態が一定時間続いたとき、前記携帯端末の位置情報を取得し、該位置情報を送信するステップをさらに備えることを特徴とする請求項６記載の置き忘れ防止方法。
【請求項１１】
無線端末からの信号を受信する受信部と、
アラーム鳴動を行うアラーム鳴動部と、
自己の機能を制限するロック管理部と、
を備え、
前記アラーム鳴動部は、前記信号を受信できなくなったときに、  
アラーム鳴動を行い、
一定時間後、アラーム鳴動を終了し、
前記ロック管理部は、アラーム鳴動終了後、自身をロック待機状態にすることを特徴とする携帯端末
【請求項１２】
前記ロック管理部は、前記ロック待機状態において、前記信号を受信できたときは、ロック待機状態を解除することを特徴とする請求項１１記載の携帯端末。
【請求項１３】
前記ロック管理部は、前記ロック待機状態において、前記携帯端末が操作されたときに、前記携帯端末をロック状態にすることを特徴とする請求項１１記載の携帯端末。
【請求項１４】
前記ロック管理部は、前記ロック状態において、
ロック解除ボタンが押下され、かつ前記信号を受信できたときは、前記ロック状態を解除することを特徴とする請求項１３記載の携帯端末。
【請求項１５】
自身の位置情報を取得するＧＰＳ部をさらに備え、
前記ＧＰＳ部は、前記信号を受信できない状態が一定時間続いたとき、
前記携帯端末の位置情報を取得し、該位置情報を送信することを特徴とする請求項１１記載の置き忘れ防止システム。
【発明の詳細な説明】
【技術分野】
【０００１】
本発明は、携帯端末の置き忘れを防止する置き忘れ防止システム、置き忘れ防止方法、および携帯端末に関する。
【背景技術】
【０００２】
携帯電話等の携帯端末は、電話番号やメールアドレス等の個人情報が記録されており、また近年の高機能化により、クレジットカードや電子マネーの機能を持つことから、置き忘れや盗難は極めて重要な問題となっている。そのため、携帯端末とは別の無線機と連携させ、携帯端末と無線機との距離が離れ、携帯端末を置き忘れたと判断された場合に、所定の通信先に携帯端末の位置情報を送信させることが提案されている。【０００３】
特許文献１には、通信端末からの信号が受信されなくなったときに、自己の位置情報を送信し、自己の機能を制限する移動通信端末が開示されている。
しかしながら、従来の携帯端末は、携帯端末と子機との通信ができなくなった時点で即座に携帯端末がロックしてしまう。そのためうっかり離れすぎてしまうたびにロックが掛かってしまい、そのたびに解除の操作をしなければならず非常に煩わしいという問題があった。また、置き忘れた場合に携帯端末をロックしてセキュリティを確保するということはなされているが、置き忘れること自体を防止するということが必要である。【０００４】
特許文献１
特開２００５−３３３６２６号公報
【発明の開示】
【０００５】
本発明の課題は、置き忘れを防止し、利便性の高い置き忘れ防止システム、置き忘れ防止方法、および携帯端末を提供することである。
この置き忘れ防止システムは、送信部を備える無線端末と、前記無線端末からの信号を受信する受信部と、アラーム鳴動を行うアラーム鳴動部と、自己の機能を制限するロック管理部と、を備え、前記アラーム鳴動部は、前記信号を受信できなくなったときに、アラーム鳴動を行い、一定時間後、アラーム鳴動を終了し、前記ロック管理部は、アラーム鳴動終了後、自身をロック待機状態にすることを特徴とする携帯端末と、を要件とする。
【０００６】
開示の置き忘れ防止システムによれば、携帯端末の置き忘れを防止でき、利便性が高いという効果を奏する。
【図面の簡単な説明】
【０００７】
【図１】本発明の実施の形態に係る置き忘れ防止システムのブロック図である。
【図２】本発明の実施の形態に係る置き忘れ防止システムの処理を示すフローチャートである。
【図３】アラームの鳴動処理の詳細なフローチャートを示す図である。
【図４】ロック処理の詳細なフローチャートを示す図である。
【図５】位置情報通知処理の詳細なフローチャートを示す図である。
【発明を実施するための最良の形態】
【０００８】
以下、図面を参照しながら、本発明の実施の形態を説明する。
図１は、本発明の実施の形態に係る置き忘れ防止システムのブロック図である。
本発明の実施の形態に係る置き忘れ防止システムは、携帯端末１０１および子機１０２を備える。また、携帯端末１０１は親機とも呼ぶ。【０００９】
携帯端末１０１は、基地局（不図示）を介して移動体通信網に接続している。携帯端末１０１は、基地局を介して他の携帯端末やサーバ、ＲＮＣ（Radio Network Control：基地局制御装置）と通信を行うことができる。【００１０】
携帯端末１０１は、例えば携帯電話やPHS（Personal Handyphone System）が用いられる。
携帯端末１０１は、受信部１０３、アプリ制御部１０４、アラーム鳴動部１０５、ロック管理部１０６、およびＧＰＳ（Global Positioning System）部１０７を備える。【００１１】
受信部１０３は、無線通信により子機１０２からの情報を受信する。
アプリ制御部１０４は、置き忘れ防止のための各種機能を実行する。
アラーム鳴動部１０５は、アラームの鳴動に関する処理を実行する。【００１２】
ロック管理部１０６は、携帯端末のロックに関する処理を実行する。
ＧＰＳ部は、位置情報取得等のＧＰＳを用いた処理を実行する。
子機１０２は、短距離無線通信機能を持つ無線端末であり、通常、ユーザが身に付けている。子機１０２は、送信部１０８を備え、送信部１０８より無線通信で情報を発信する。情報は一定間隔ごと、例えば３秒ごとに発信される。情報としては、子機ＩＤ、子機の状態が発信される。本実施の形態の置き忘れ防止システムは、子機１０２から携帯端末１０１への片方向通信である。故に携帯端末１０１の消費電力を低くすることができる。【００１３】
図２は、本発明の実施の形態に係る置き忘れ防止システムの処理を示すフローチャートである。
先ず、携帯端末１０１には、あらかじめユーザが所持している子機１０２に対応する子機ＩＤが登録されている。また、ユーザは携帯端末１０１の置き忘れ時に、携帯端末１０１のアラーム機能、ロック機能、およびＧＰＳ機能をそれぞれ使用するか設定しておく。【００１４】
ステップＳ２０１において、携帯端末１０１のアプリ制御部１０４は、携帯端末１０１を通常の待ち受け状態にする。
ステップＳ２０２において、アプリ制御部１０４は、子機１０２から情報を受信できているかチェックする。受信できている場合はステップＳ２０３に進み、受信できていない場合は、ステップＳ２０４に進む。【００１５】
受信できているかいないかの判断は、例えば受信した情報を解析して、その中に含まれる子機ＩＤと携帯端末１０１に登録されている子機ＩＤとを比較し、一致していれば子機１０２から情報を受信できていると判断する。【００１６】
子機１０２からの無線通信を受信できていないときは、情報を受信できていないと判断する。
また、情報を受信できており子機ＩＤが一致している場合でも、子機１０２からの電波の強度が所定の値以下のときは、情報を受信できていないと判断しても良い。【００１７】
ステップＳ２０４において、子機１０２と携帯端末１０１が離れたと判断され、ステップＳ２０５およびステップＳ２０６に進む。尚、ステップＳ２０５〜Ｓ２０８の処理とステップＳ２０９〜Ｓ２１０の処理はそれぞれ独立して並列に実行される。【００１８】
ステップＳ２０５において、アプリ制御部１０４は、携帯端末１０１のアラーム機能がオンになっているかをチェックし、オンの場合はステップＳ２０６、オフの場合はステップＳ２０７に進む。【００１９】
ステップＳ２０６において、アプリ制御部２２は、アラームの鳴動処理を実行する。尚、アラームの鳴動処理の詳細については後述する。
ステップＳ２０７において、ロック機能がオンになっているかをチェックし、オンの場合はステップＳ２０８、オフの場合はステップＳ２０７に進む。【００２０】
ステップＳ２０８において、アプリ制御部１０４は、ロック管理部１０６に携帯端末１０１のロックに関するロック処理を実行させる。尚、ロック処理の詳細については後述する。【００２１】
ステップＳ２０９において、ＧＰＳ機能がオンなっているかをチェックし、オンの場合はステップＳ２１０、オフの場合は終了する。
ステップＳ２１０において、アプリ制御部１０４は、ＧＰＳ部１０７に携帯端末１０１の位置情報を通知する位置情報通知処理を実行させる。尚、位置情報通知処理の詳細については後述する。【００２２】
図３は、ステップＳ２０５のアラームの鳴動処理の詳細なローチャートを示す図である。
ステップＳ３０１において、アラーム鳴動部１０５は、アラーム鳴動を開始する。これにより、携帯端末１０１に内蔵されたスピーカから音声または警告音が出力される。【００２３】
ステップＳ３０２において、携帯端末１０１がユーザによって操作されたかをチェックする。例えば、携帯端末１０１のボタンが押されたかどうかをチェックする。操作があった場合はステップＳ３０５に進み、無かった場合はステップＳ３０３に進む。【００２４】
ステップＳ３０３において、子機１０２の情報を受信したかをチェックする。受信した場合はステップＳ３０４に進み、受信してない場合はステップＳ３０５に進む。
ステップＳ３０４において、アラームが作動してから、あらかじめ定めた所定の時間（一定時間）が経過したかをチェックする。一定時間が経過した場合はステップＳ３０５に進み、経過していない場合はステップＳ３０２に戻る。【００２５】
ステップＳ３０５において、アプリ制御部１０４はアラーム鳴動部１０５に対し鳴動を停止する命令を出力し、アラーム鳴動部１０５は鳴動を停止する。
図４は、ステップＳ２０７のロック処理の詳細なフローチャートを示す図である。【００２６】
ステップＳ４０１において、アプリ制御部１０４は、ロック管理部１０６にロック処理を実行させる。ロック管理部１０６は、携帯端末１０１をロック待機状態にする。ロック待機状態では、携帯端末１０１の表示部に携帯端末１０１を置き忘れた旨を表示する。【００２７】
ステップＳ４０２において、子機の情報を受信したかをチェックする。受信した場合はステップＳ４０３に進み、受信してない場合はステップＳ４０４に進む。
ステップＳ４０３において、ロック待機状態を解除し、ステップＳ４０９に進み、通常の待ち受け状態に遷移する。【００２８】
ステップＳ４０４において、ユーザが携帯端末１０１を操作したかをチェックする。操作した場合はステップＳ４０５に進み、操作していない場合はステップＳ４０１に進む。
ステップＳ４０５において、ロック管理部１０６は、携帯端末１０１をロックし、ロック状態に遷移させる。ロック状態では、携帯端末１０１は、キー入力の受付機能やディスプレイの表示機能などが停止し、ユーザによりあらかじめ設定された機能以外を利用できなくなる。【００２９】
ステップＳ４０６において、携帯端末１０１のロック解除ボタンを押下されたかをチェックする。押下された場合は、ステップＳ４０７に進み、押下されていない場合はステップＳ４０５に戻る。【００３０】
ステップＳ４０７において、子機の情報を受信したかをチェックする。受信した場合は、ユーザによりロック解除ボタンが押下されたと考えられるので、ステップＳ４０９に進み、待ち受け状態に遷移する。子機の情報を受信してない場合はステップＳ４０８に進む。ロック解除ボタン等の特定のボタンを使用すると、一つのボタンを押下するだけで暗証番号の入力などの面倒な操作をすることなく、簡単にロック状態を解除できる。【００３１】
ステップＳ４０８において、携帯端末１０１の表示部に暗証番号の入力を促す旨の表示を行い、暗証番号が入力されるかをチェックする。暗証番号は、あらかじめユーザが携帯端末１０１に設定しておく。暗証番号が入力された場合はステップＳ４０９に進み、間違った暗証番号が入力された場合や一定時間入力が無かった場合はステップＳ４０５に戻る。暗証番号を使用することにより、子機１０２が故障または紛失した場合でもロックを解除することができる。【００３２】
ステップＳ４０９において、ロック状態を解除し、通常の待ち受け状態に遷移する。
図５は、ステップＳ２１０のＧＰＳ処理の詳細なフローチャートを示す図である。
ステップＳ５０１において、アプリ制御部１０４は、ＧＰＳ部１０７に位置情報通知処理を実行させる。ＧＰＳ部１０７は、タイマーを起動し、時間の経過を計測する。【００３３】
ステップＳ５０２において、子機の情報を受信したかをチェックする。受信した場合はステップＳ５０３に進み、受信してない場合はステップＳ５０４に進む。
ステップＳ５０３において、ＧＰＳ部１０７はタイマーを停止させる。【００３４】
ステップＳ５０４において、タイマーが満了したかをチェックする。満了した場合はステップＳ５０５に進み、満了していない場合はステップＳ５０２に進む。タイマーの満了時間は、あらかじめユーザが携帯端末１０１に設定しておく。【００３５】
ステップＳ５０５において、ＧＰＳ部１０７は、ＲＮＣに位置情報通知処理を行うことを通知する。そしてＧＰＳ部１０７は、携帯端末１０１のＧＰＳ機能を用いて携帯端末１０１の位置を示す位置情報を衛星から取得する。【００３６】
ステップＳ５０６において、ＧＰＳ部１０７は、ＲＮＣに取得した位置情報を送信する。ＲＮＣは、あらかじめ設定された送付先指定アドレスに受信した位置情報を通知する。尚、本実施の形態においては、ＲＮＣに位置情報を通知したが、ＲＮＣに限らず位置情報を通知する機能を持つサーバであれば任意のものを使用できる。【００３７】
ＧＰＳを利用した位置情報通知機能により、携帯端末１０１を紛失した場合でも、携帯端末１０１の位置を知ることができる。また、子機１０２の情報を受信できない状態が一定時間継続してから位置情報が通知されるので、うっかり携帯端末１０１と離れた場合でも、すぐに携帯端末の場所に戻ることで、位置情報が通知されなくなるので、実用性があり、利便性が高い。【００３８】
本実施の形態の置き忘れ防止システムによれば、子機１０２を所有したユーザが携帯端末１０１と離れたときは、アラーム鳴動により、ユーザは置き忘れに気づき、携帯端末１０１の置き忘れを防ぐことができる。また、アラーム鳴動時には、携帯端末１０１はロックされないので、うっかり携帯端末１０１と離れた場合でも、すぐに携帯端末の場所に戻ることで、いちいちロックを解除する手間が無くなり利便性が増す。【００３９】
以上本発明の実施の形態を説明してきたが、本発明は、以上に述べた実施の形態に限定されるものではなく、本発明の要旨を逸脱しない範囲内で種々の構成を取ることができる。
【図１】
2009057182.tif 000003
【図２】
2009057182.tif 000004
【図３】
2009057182.tif 000005
【図４】
2009057182.tif 000006
【図５】
2009057182.tif 000007
【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
送信部を備える無線端末と、
前記無線端末からの信号を受信する受信部と、
アラーム鳴動を行うアラーム鳴動部と、
自己の機能を制限するロック管理部と、
を備え、
前記アラーム鳴動部は、前記信号を受信できなくなったときに、
アラーム鳴動を行い、
一定時間後、アラーム鳴動を終了し、
前記ロック管理部は、アラーム鳴動終了後、自身をロック待機状態にすることを特徴とする携帯端末と、
を具備する置き忘れ防止システム。
【請求項２】
携帯端末の置き忘れ防止方法において、
無線端末からの信号を受信するステップと、
前記信号を受信できているか判定するステップと、
前記信号を受信できていないときにアラーム鳴動を行うステップと、
前記アラーム鳴動の終了後に前記携帯電話をロック待機状態にするステップと、
を備える置き忘れ防止方法。
【請求項３】
無線端末からの信号を受信する受信部と、
アラーム鳴動を行うアラーム鳴動部と、
自己の機能を制限するロック管理部と、
を備え、
前記アラーム鳴動部は、前記信号を受信できなくなったときに、
アラーム鳴動を行い、
一定時間後、アラーム鳴動を終了し、
前記ロック管理部は、アラーム鳴動終了後、自身をロック待機状態にすることを特徴とする携帯端末
【請求項４】
前記ロック管理部は、前記ロック待機状態において、前記信号を受信できたときは、ロック待機状態を解除することを特徴とする請求項３記載の携帯端末。
【請求項５】
前記ロック管理部は、前記ロック待機状態において、前記携帯端末が操作されたときに、前記携帯端末をロック状態にすることを特徴とする請求項３記載の携帯端末。
【手続補正２】
【補正対象書類名】明細書
【補正対象項目名】００３９
【補正方法】変更
【補正の内容】
【００３９】
以上本発明の実施の形態を説明してきたが、本発明は、以上に述べた実施の形態に限定されるものではなく、本発明の要旨を逸脱しない範囲内で種々の構成を取ることができる。
（付記１）
送信部を備える無線端末と、
前記無線端末からの信号を受信する受信部と、
アラーム鳴動を行うアラーム鳴動部と、
自己の機能を制限するロック管理部と、
を備え、
前記アラーム鳴動部は、前記信号を受信できなくなったときに、
アラーム鳴動を行い、
一定時間後、アラーム鳴動を終了し、
前記ロック管理部は、アラーム鳴動終了後、自身をロック待機状態にすることを特徴とする携帯端末と、
を具備する置き忘れ防止システム。
（付記２）
前記ロック管理部は、前記ロック待機状態において、前記信号を受信できたときは、ロック待機状態を解除することを特徴とする付記１記載の置き忘れ防止システム。
（付記３）
前記ロック管理部は、前記ロック待機状態において、前記携帯端末が操作されたときに、前記携帯端末をロック状態にすることを特徴とする付記１記載の置き忘れ防止システム。
（付記４）
前記ロック管理部は、前記ロック状態において、
ロック解除ボタンが押下され、かつ前記信号を受信できたときは、前記ロック状態を解除することを特徴とする付記３記載の置き忘れ防止システム。
（付記５）
前記携帯端末は、前記携帯端末の位置情報を取得するＧＰＳ部をさらに備え、
前記ＧＰＳ部は、前記信号を受信できない状態が一定時間続いたとき、
前記携帯端末の位置情報を取得し、該位置情報を送信することを特徴とする付記１記載の置き忘れ防止システム。
（付記６）
携帯端末の置き忘れ防止方法において、
無線端末からの信号を受信するステップと、
前記信号を受信できているか判定するステップと、
前記信号を受信できていないときにアラーム鳴動を行うステップと、
前記アラーム鳴動の終了後に前記携帯電話をロック待機状態にするステップと、
を備える置き忘れ防止方法。
（付記７）
前記ロック待機状態において、前記信号を受信できたときは、ロック待機状態を解除するステップをさらに備えることを特徴とする付記６記載の置き忘れ防止方法。
（付記８）
前記ロック待機状態において、前記携帯端末が操作されたときに、前記携帯端末をロック状態にするステップをさらに備えることを特徴とする付記６記載の置き忘れ防止方法。
（付記９）
前記ロック状態において、ロック解除ボタンが押下され、かつ前記信号を受信できたときは、前記ロック状態を解除するステップをさらに備えることを特徴とする付記８記載の置き忘れ防止方法。
（付記１０）
前記信号を受信できない状態が一定時間続いたとき、前記携帯端末の位置情報を取得し、該位置情報を送信するステップをさらに備えることを特徴とする付記６記載の置き忘れ防止方法。
（付記１１）
無線端末からの信号を受信する受信部と、
アラーム鳴動を行うアラーム鳴動部と、
自己の機能を制限するロック管理部と、
を備え、
前記アラーム鳴動部は、前記信号を受信できなくなったときに、
アラーム鳴動を行い、
一定時間後、アラーム鳴動を終了し、
前記ロック管理部は、アラーム鳴動終了後、自身をロック待機状態にすることを特徴とする携帯端末
（付記１２）
前記ロック管理部は、前記ロック待機状態において、前記信号を受信できたときは、ロック待機状態を解除することを特徴とする付記１１記載の携帯端末。
（付記１３）
前記ロック管理部は、前記ロック待機状態において、前記携帯端末が操作されたときに、前記携帯端末をロック状態にすることを特徴とする付記１１記載の携帯端末。
（付記１４）
前記ロック管理部は、前記ロック状態において、
ロック解除ボタンが押下され、かつ前記信号を受信できたときは、前記ロック状態を解除することを特徴とする付記１３記載の携帯端末。
（付記１５）
自身の位置情報を取得するＧＰＳ部をさらに備え、
前記ＧＰＳ部は、前記信号を受信できない状態が一定時間続いたとき、
前記携帯端末の位置情報を取得し、該位置情報を送信することを特徴とする付記１１記載の携帯端末。
【国際調査報告】
2009057182.tif 000008
2009057182.tif 000009
2009057182.tif 000010
2009057182.tif 000011